(57)【要約】【課題】寒冷地においても換気による新鮮空気の供給を確保しつつ、冷えた給気による換気ユニットの凍結を抑えることが可能な空調換気装置を提供する。【解決手段】換気ユニット５は、屋外の空気を給気するための給気ダクト２と、給気ファン５２を有している。空調ユニット６は、吸込ダクト７と、室内熱交換器１０と、吹出ダクト８と、室内ファン１１と、を有している。バイパスダクト４は、給気ダクト２の導入ダクト２１と、吹出ダクト８とをバイパスしている。【選択図】図２
2008209034.tif 000002
【特許請求の範囲】
【請求項１】
対象空間（ＳＩ）の空調と換気を行う空調換気装置（１）であって、
屋外（ＳＯ）の空気（ＯＡ）を前記対象空間（ＳＩ）に給気するための給気流路（２１、２２）と、前記給気流路（２１、２２）において屋外（ＳＯ）から前記対象空間（ＳＩ）に向かう空気流れを形成させる給気ファン（５２）と、を有する換気ユニット（５）と、
前記対象空間（ＳＩ）の空気を吸い込むための吸込流路（３３、３１）と、前記吸込流路（３３、３１）を通過した空気の温度を調節する温度調節部（１０）と、前記温度調節部（１０）で温度調節された温調空気を前記対象空間（ＳＩ）に吹き出すための吹出流路（２４、２６）と、前記吸込流路（３３、３１）から前記温度調節部（１０）を介して前記吹出流路（２４、２６）に向かう空気流れを形成させる空調ファン（１１）と、を有する空調ユニット（６）と、
前記給気流路（２１）と、前記吹出流路（２４）とをバイパスするバイパス流路（４）と、
を備えた空調換気装置（１）。
【請求項２】
前記換気ユニット（５）は、前記対象空間（ＳＩ）の空気を屋外（ＳＯ）に排出するための排気流路（３４、３５）と、前記排気流路（３４、３５）において前記対象空間（ＳＩ）から屋外（ＳＯ）に向かう空気流れを形成させる排気ファン（５３）と、前記給気流路（２１、２２）を通過する空気と前記排気流路（３４、３５）を通過する空気との間で混ざり合いを抑えつつ熱交換させる熱交換部（５０ａ）と、をさらに備え、
前記バイパス流路（４）は、前記給気流路（２１、２２）のうち屋外（ＳＯ）と前記熱交換部（５０ａ）との間（２１）と、前記吹出流路（２４）とをバイパスする、
請求項１に記載の空調換気装置（１）。
【請求項３】
前記バイパス流路（４）は、通過面積を可変なバイパスダンパ（４１）を有している、
請求項１または２に記載の空調換気装置（１）。
【請求項４】
前記バイパス流路（４）は、通過面積を可変なバイパスダンパ（４１）を有し、
前記対象空間（ＳＩ）の温度を検知する対象温度検知部（ＴＨ１）と、
前記屋外（ＳＯ）の温度を検知する屋外温度検知部（ＴＨ２）と、
前記対象温度検知部（ＴＨ１）が検知する温度と前記屋外温度検知部（ＴＨ２）が検知する温度との差が所定値未満である場合には、前記バイパスダンパ（４１）を閉じる開閉制御部（７０）と、をさらに備えた、
請求項２に記載の空調換気装置（１）。
【請求項５】
前記バイパス流路（４）は、通過面積を可変なバイパスダンパ（４１）を有し、
前記排気流路（３４、３５）のうち前記対象空間（ＳＩ）から前記熱交換部（５０ａ）に至るまでの間の温度を検知する排気温度検知部（ＴＨ４）と、
前記給気流路（２１、２２）のうち前記バイパス流路との合流部分から前記熱交換部（５０ａ）に至るまでの間の温度を検知する合流温度検知部（ＴＨ６）と、
前記排気温度検知部（ＴＨ４）が検知する温度と前記合流温度検知部（ＴＨ６）が検知する温度との差が所定値未満である場合には、前記バイパスダンパ（４１）を閉じる閉鎖制御部（７０）と、をさらに備えた、
請求項２に記載の空調換気装置（１）。
【請求項６】
前記排気流路（３４、３５）に設けられ、通過面積を可変な排気ダンパ（５５）と、
前記排気流路（３４、３５）のうち前記対象空間（ＳＩ）から前記熱交換部（５０ａ）に至るまでの間の温度を検知する排気温度検知部（ＴＨ４）と、
前記給気流路（２１、２２）のうち前記バイパス流路との合流部分から前記熱交換部（５０ａ）に至るまでの間の温度を検知する合流温度検知部（ＴＨ６）と、
前記排気温度検知部（ＴＨ４）が検知する温度と前記合流温度検知部（ＴＨ６）が検知する温度との差が所定値未満である場合には、前記排気ダンパ（５５）を閉じる排気ダンパ閉鎖制御部（７０）と、をさらに備えた、
請求項２に記載の空調換気装置（１）。
【請求項７】
前記排気ダンパ（５５）は、前記排気流路（３４、３５）において、前記対象空間（ＳＩ）と前記熱交換部（５０ａ）との間の空間に設けられている、
請求項６に記載の空調換気装置（１）。
【請求項８】
前記熱交換部（５０ａ）の上流側と下流側とを、前記熱交換部（５０ａ）を通過しないように接続する分岐排気流路（６）と、
前記分岐排気流路（６）に設けられ、通過面積を可変な分岐排気ダンパ（６５）と、
前記排気流路（３４、３５）のうち前記対象空間（ＳＩ）から前記熱交換部（５０ａ）に至るまでの間の温度を検知する排気温度検知部（ＴＨ４）と、
前記給気流路（２１、２２）のうち前記バイパス流路との合流部分から前記熱交換部（５０ａ）に至るまでの間の温度を検知する合流温度検知部（ＴＨ６）と、
前記排気温度検知部（ＴＨ４）が検知する温度と前記合流温度検知部（ＴＨ６）が検知する温度との差が所定値未満である場合には、前記分岐排気ダンパ（６５）を開く分岐排気ダンパ開制御部（７０）と、をさらに備えた、
請求項２に記載の空調換気装置（１）。
【請求項９】
前記分岐排気ダンパ（６５）は、前記排気流路（３４）と前記熱交換部（５０ａ）とが接続される状態と、前記排気流路（３４）と前記分岐排気流路（６）とが接続される状態と、を切り換える、
請求項８に記載の空調換気装置（１）。
【請求項１０】
前記給気流路（２１、２２）に対して前記バイパス流路（４）側が正圧となるように風量制御を行う正圧制御部（７０）をさらに備えた、
請求項１または２に記載の空調換気装置（１）。
【請求項１１】
前記対象空間（ＳＩ）の温度を検知する対象温度検知部（ＴＨ１）と、
前記屋外（ＳＯ）の温度を検知する屋外温度検知部（ＴＨ２）と、
前記対象温度検知部（ＴＨ１）が検知する温度と、前記屋外温度検知部（ＴＨ２）が検知する温度との差が、所定値未満である場合に、前記給気流路（２１、２２）に対して前記バイパス流路が正圧となるようにしつつ供給風量を下げる制御を行う風量低減制御部（７０）と、をさらに備えた、
請求項２に記載の空調換気装置（１）。
【請求項１２】
前記排気流路（３４、３５）のうち前記対象空間（ＳＩ）から前記熱交換部（５０ａ）に至るまでの間の温度を検知する排気温度検知部（ＴＨ４）と、
前記給気流路（２１、２２）のうち前記バイパス流路との合流部分から前記熱交換部（５０ａ）に至るまでの間の温度を検知する合流温度検知部（ＴＨ６）と、
前記排気温度検知部（ＴＨ４）が検知する温度と、前記合流温度検知部（ＴＨ６）が検知する温度との差が、所定値未満である場合に、前記給気流路（２１、２２）に対して前記バイパス流路が正圧となるようにしつつ供給風量を下げる制御を行う風量調節制御部（７０）と、をさらに備えた、
請求項２に記載の空調換気装置（１）。
【請求項１３】
前記給気ファン（５２）の起動を検知する給気検知部（７０）と、
前記給気検知部（７０）が前記給気ファン（５２）の起動を検知した場合に、前記バイパス流路（４）から前記給気流路（２１、２２）に流れる空気量を増大させる起動時制御部（７０）と、をさらに備えた、
請求項１から１２のいずれか１項に記載に空調換気装置（１）。
【請求項１４】
前記給気ファン（５２）の運転状態を検知する給気検知部（７０）と、
前記給気検知部（２３）が前記給気ファン（５２）の運転を検知した場合に、前記給気ファン（５２）の風量が前記排気ファン（５３）の風量よりも多い状態に制御する運転時正圧制御部（７０）と、をさらに備えた、
請求項１から１２のいずれか１項に記載の空調換気装置（１）。
【請求項１５】
前記空調ユニット（６）側から前記換気ユニット（５）側に向けて前記バイパス流路（４）を通過する供給空気（ＢＳＡ）の風量を制御する風量制御部（７０）をさらに備えた、
請求項１から１４のいずれか１項に記載の空調換気装置（１）。
【請求項１６】
屋外の温度を検知する外気温検知部（ＴＨ２）と、屋外の湿度を検知する屋外湿度検知部（ＴＨ２）と、の少なくともいずれか１つを有する屋外センサ部（ＴＨ２）をさらに備え、
前記風量制御部（７０）は、前記屋外センサ部（ＴＨ２）が検知する値に応じて、前記供給空気（ＢＳＡ）の風量を制御する、
請求項１５に記載の空調換気装置（１）。
【請求項１７】
室内温度を検知する室内温度検知部（ＴＨ１）と、室内の湿度を検知する室内湿度検知部（ＴＨ１）と、の少なくともいずれか１つを有する室内センサ部（ＴＨ１）をさらに備え、
前記風量制御部（７０）は、前記屋外センサ部（ＴＨ２）が検知する値と、前記室内センサ部（ＴＨ１）が検知する値との関係に応じて前記供給空気（ＢＳＡ）の風量を制御する、
請求項１６に記載の空調換気装置（１）。
【請求項１８】
前記給気流路（２１、２２）のうち屋外（ＳＯ）から前記バイパス流路（４）との合流部分に至るまでの間の温度を検知する給気口温度検知部（ＴＨ５）と、前記屋外（ＳＯ）から前記バイパス流路（４）との合流部分に至るまでの間の湿度を検知する給気口湿度検知部（ＴＨ５）と、の少なくともいずれか１つを有する給気口センサ部（ＴＨ５）をさらに備え、
前記風量制御部（７０）は、前記給気口センサ部（ＴＨ５）が検知する値に応じて、前記供給空気（ＢＳＡ）の風量を制御する、
請求項１５に記載の空調換気装置（１）。
【請求項１９】
屋外の温度を検知する屋外温度検知部（ＴＨ２）と、屋外の湿度を検知する給気流路湿度検知部（ＴＨ２）と、の少なくともいずれか１つを有する屋外センサ部（ＴＨ２）をさらに備え、
前記風量制御部（７０）は、前記給気口センサ部（ＴＨ５）が検知する値と、前記屋外センサ部（ＴＨ２）が検知する値と、の関係に応じて前記供給空気（ＢＳＡ）の風量を制御する、
請求項１８に記載の空調換気装置（１）。
【請求項２０】
前記給気流路（２１、２２）のうち前記バイパス流路（４）との合流部分から前記熱交換部（５０ａ）に至るまでの間の温度を検知する合流温度検知部（ＴＨ６）と、前記バイパス流路（４）との合流部分から前記熱交換部（５０ａ）に至るまでの間の湿度を検知する合流湿度検知部（ＴＨ６）と、の少なくともいずれか１つを有する合流センサ部（ＴＨ６）をさらに備え、
前記風量制御部（７０）は、前記合流センサ部（ＴＨ６）が検知する値に応じて、前記供給空気（ＢＳＡ）の風量を制御する、
請求項１５に記載の空調換気装置（１）。
【請求項２１】
前記給気流路（２１、２２）のうち屋外（ＳＯ）から前記バイパス流路（４）との合流部分に至るまでの間の温度を検知する給気口温度検知部（ＴＨ５）と、前記屋外（ＳＯ）から前記バイパス流路（４）との合流部分に至るまでの間の湿度を検知する給気口湿度検知部（ＴＨ５）と、の少なくともいずれか１つを有する給気口センサ部（ＴＨ５）をさらに備え、
前記風量制御部（７０）は、前記合流センサ部（ＴＨ６）が検知する値と、前記給気口センサ部（ＴＨ５）が検知する値と、の関係に応じて前記供給空気（ＢＳＡ）の風量を制御する、
請求項２０に記載の空調換気装置（１）。
【請求項２２】
前記給気ファン（５２）は、風量調整する給気ファンモータ（５２ｍ）を有し、
前記給気流路（２１、２２）のうち屋外（ＳＯ）から前記バイパス流路（４）との合流部分に至るまでの間の温度を検知する給気口温度検知部（ＴＨ５）と、前記屋外（ＳＯ）から前記バイパス流路（４）との合流部分に至るまでの間の湿度を検知する給気口湿度検知部（ＴＨ５）と、の少なくともいずれか１つを有する給気口センサ部（ＴＨ５）と、
前記吹出流路（２４、２６）を通過する温度を検知する吹出流路温度検知部（ＴＨ３）と、前記吹出流路（２４、２６）を通過する湿度を検知する吹出流路湿度検知部（ＴＨ３）と、の少なくともいずれか１つを有する吹出流路センサ部（ＴＨ３）と、
前記給気流路（２１）と前記バイパス流路（４）との合流地点を通過する空気の温度もしくは湿度のいずれか一方を、前記給気口センサ部（ＴＨ５）、前記吹出流路センサ部（ＴＨ３）および前記給気ファンモータ（５２ｍ）の回転数に基づいて算出する合流算出部（７０）と、
をさらに備えた、
請求項２に記載の空調換気装置（１）。
【請求項２３】
前記バイパス流路（４）は、通過面積を可変なバイパスダンパ（４１）と、バイパスファンモータ（４２ｍ）によって通過風量を可変なバイパスファン（４２）と、を有し、
前記給気ファン（５２）は、前記給気流路（２１、２２）の通過風量を可変な給気ファンモータ（５２ｍ）を有し、
前記対象空間（ＳＩ）における設定温度または設定湿度の少なくともいずれか一方の入力を受付ける設定受付部（９７）と、
前記給気流路（２１、２２）のうち前記熱交換部（５０ａ）と前記対象空間（ＳＩ）との間の吹出空間を通過する空気の温度を検知する室内吹出温度検知部（ＴＨ７）と、前記吹出空間を通過する空気の湿度を検知する室内吹出湿度検知部（ＴＨ７）と、の少なくともいずれか１つを有する室内吹出センサ部（ＴＨ７）と、
前記室内吹出センサ部（ＴＨ７）が検知する値が、前記設定受付部（９７）に入力された前記設定温度に近づくように、前記バイパスダンパ（４１）の開度、前記バイパスファンモータ（４２ｍ）の回転数、前記給気ファンモータ（５２ｍ）の回転数のうちの少なくともいずれか１つを調整する吹出制御部（７０）と、
をさらに備えた、
請求項２に記載の空調換気装置（１）。
【発明の詳細な説明】
【技術分野】
【０００１】
本発明は、換気および空調を行う空調換気装置に関する。
【背景技術】
【０００２】
従来、換気装置としては、室内の空気を屋外に強制的に排気するための排気ファンと、屋外の空気を室内に強制的に供給するための給気ファンと、を有している第１種換気を行うものが知られている。なかでも、排気と給気との間で、空気が互いに混ざり合うことなく熱交換を行う、全熱交換器が設けられている換気装置がある。この換気装置によると、屋外の新鮮な空気を室内に取込ながら、温度調節されていない外気を室内に取り込むことによる空調付加の増大をできるだけ抑えることができる。
【０００３】
この換気装置は、寒冷地で用いられる場合には、取り込む外気が冷たいことから、外気を取り込む際に冷たい空気が通過する位置に設けられた装置等が凍結してしまう問題がある。
【０００４】
これに対して、例えば、以下に示す特許文献１に記載の寒気装置では、屋外の冷たい空気の供給量よりも、室内の温度調節された空気の排気量が比較的多くなるように送風量を制御して、上記凍結の問題を改善させている。
【０００５】
また、例えば、以下に示す特許文献２に記載の換気装置では、室内の温度調節された空気の排気の一部を、屋外の冷たい空気の取込口の近傍において給気に対して混ぜて、供給空気の温度を上げることで、上記問題を改善させている。
【特許文献１】特開２００６−７１２２５号公報
【特許文献２】特開２００６−２９５４号公報
【発明の開示】
【発明が解決しようとする課題】
【０００６】
しかし、上記特許文献１に記載の換気装置では、外気温度が非常に低い場合には、室内からの温度調節された空気を全熱交換器に通じさせ続けたとしても、間欠的であっても室内が冷えてユーザに不快感を与えてしまうため外気を取り込むことができない、という問題が生じうる。
【０００７】
また、上記特許文献２に記載の換気装置では、例えば、全熱交換器において給気と排気との熱交換が充分行われて熱回収が完了している場合には、排気と給気とが略同じ温度になっている場合が考えられる。このような場合には、外気取込口の近傍において室内からの排気を混ぜる構成にしたとしても、供給空気の温度をさらに上げる効果を期待することはできず、室内が冷えてユーザに不快感を与えるおそれがある。
【０００８】
本発明は、上述した点に鑑みてなされたものであり、本発明の課題は、寒冷地においても換気による新鮮空気の供給を確保しつつ、冷えた給気による換気ユニットの凍結を抑えることが可能な空調換気装置を提供することにある。
【課題を解決するための手段】
【０００９】
第１発明に係る空調換気装置は、対象空間の空調と換気を行う空調換気装置であって、換気ユニットと、空調ユニットと、バイパス流路とを備えている。換気ユニットは、屋外の空気を対象空間に給気するための給気流路と、給気流路において屋外から対象空間に向かう空気流れを形成させる給気ファンと、を有している。なお、ここでの換気ユニットとしては、例えば、屋外の空気を積極的に取り込む第二種換気である給気扇や、屋外の空気を積極的に取込つつ、屋内の空気を積極的に排出する第一種換気である全熱交換器等による換気も含まれる。空調ユニットは、対象空間の空気を吸い込むための吸込流路と、吸込流路を通過した空気の温度を調節する温度調節部と、温度調節部で温度調節された温調空気を対象空間に吹き出すための吹出流路と、吸込流路から温度調節部を介して吹出流路に向かう空気流れを形成させる空調ファンと、を有している。バイパス流路は、給気流路と、吹出流路とをバイパスしている。
【００１０】
ここでは、空調ユニットによって生成される温調空気が通過する給気流路と、屋外からの新鮮空気を取り入れる給気流路とが、バイパス流路によってバイパスされている。このため、温調空気は、バイパス流路を通過して給気流路までたどり着くことができる。このため、寒冷地等の外気温が低い場所において、対象空間を換気する場合に、給気流路に冷たい空気が取り込まれることがあっても、温調空気と混ざり合うことにより、空気の冷たさを緩和することができる。
【００１１】
なお、例えば、温調空気の給気流路への供給量を調節することにより、給気流路における電気ヒータ等の必要性をなくし、低外気が低温のままで室内に吹き出されないようにすることが可能になる。
【００１２】
これにより、寒冷地においても換気による新鮮空気の供給を確保しつつ、冷えた給気による換気ユニットの凍結を抑えることが可能になる。
【００１３】
第２発明に係る空調換気装置は、第１発明の空調換気装置であって、換気ユニットは、対象空間の空気を屋外に排出するための排気流路と、排気流路において対象空間から屋外に向かう空気流れを形成させる排気ファンと、給気流路を通過する空気と排気流路を通過する空気との間で混ざり合いを抑えつつ熱交換させる熱交換部と、をさらに備えている。そして、バイパス流路は、給気流路のうち屋外と熱交換部との間と、吹出流路とをバイパスする。
【００１４】
ここでは、互いの混ざり合いを抑えつつ熱交換させる熱交換部をさらに備えているため、屋外の新鮮空気は、給気流路を介して対象空間に取り込む際に、対象空間に存在していた空気からの熱回収を行うことができる。このため、給気流路を通じて対象空間に供給される空気の冷たさを緩和させることができる。さらに、ここでは、吹出流路の温調空気は、給気流路において屋外と熱交換器とを結ぶ間に供給されて冷気が緩和されるため、熱交換器が屋外の冷気による凍結を抑えることができる。
【００１５】
これにより、対象空間における空気からの熱回収を行いつつ、熱交換器の凍結を抑えることが可能になる。
【００１６】
第３発明に係る空調換気装置は、第１発明または第２発明の空調換気装置であって、バイパス流路は、通過面積を可変なバイパスダンパを有している。
【００１７】
ここでは、吹出流路の温調空気を給気流路に対して供給するためのバイパス流路において、温調空気が通過する風量をバイパスダンパの開度を調節することで可変させることができる。
【００１８】
これにより、温調空気の給気流路への供給量を調節することが可能になる。
【００１９】
第４発明に係る空調換気装置は、第２発明の空調換気装置であって、バイパス流路は、通過面積を可変なバイパスダンパを有している。そして、対象温度検知部と、屋外温度検知部と、開閉制御部と、をさらに備えている。対象温度検知部は、対象空間の温度を検知する。屋外温度検知部は、屋外の温度を検知する。開閉制御部は、対象温度検知部が検知する温度と屋外温度検知部が検知する温度との差が所定値未満である場合には、バイパスダンパを閉じる制御を行う。
【００２０】
ここでは、開閉制御部は、対象温度検知部によって対象空間の温度を、屋外温度検知部によって屋外の温度を、それぞれ知ることができる。そして、両温度の差異が所定値未満である場合には、バイパスダンパを閉じる制御を行うことで、対象空間からの空気の排出に伴って廃熱されてしまうという事態を回避している。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、バイパスダンパを開けて、バイパス流路を通じた温調空気と給気流路を通じた屋外空気とを合流させ、対象空間からの排気流路を通じる空気と熱交換させると、対象空間に供給されようとする空気から、屋外に排出されようとする空気が熱を奪って、廃熱されてしまうことになる。ここでは、開閉制御部が、バイパスダンパを開閉制御することで、このような事態が生じることを防いでいる。
【００２１】
これにより、温調空気のバイパス流路を通じた供給を止めることで、熱交換部による熱交換によって熱が屋外に捨てられてしまうことを回避することが可能になる。
【００２２】
第５発明に係る空調換気装置は、第２発明の空調換気装置であって、排気温度検知部と、合流温度検知部と、閉鎖制御部とをさらに備えている。バイパス流路は、通過面積を可変なバイパスダンパを有している。排気温度検知部は、排気流路のうち対象空間から熱交換部に至るまでの間の温度を検知する。合流温度検知部は、給気流路のうちバイパス流路との合流部分から熱交換部に至るまでの間の温度を検知する。閉鎖制御部は、排気温度検知部が検知する温度と合流温度検知部が検知する温度との差が所定値未満である場合には、バイパスダンパを閉じる。
【００２３】
ここでは、閉鎖制御部は、排気温度検知部によって排気流路のうち対象空間から熱交換部に至るまでの間の温度を、合流温度検知部によって給気流路のうちバイパス流路との合流部分から熱交換部に至るまでの間の温度を、それぞれ知ることができる。そして、両温度の差異が所定値未満である場合には、バイパスダンパを閉じる制御を行うことで、対象空間からの空気の排出に伴って廃熱されてしまうという事態を回避している。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、バイパスダンパを開けて、バイパス流路を通じた温調空気と給気流路を通じた屋外空気とを合流させ、対象空間からの排気流路を通じる空気と熱交換させると、対象空間に供給されようとする空気から、屋外に排出されようとする空気が熱を奪って、廃熱されてしまうことになる。ここでは、閉鎖制御部が、バイパスダンパを閉鎖制御することで、このような事態が生じることを防いでいる。
【００２４】
これにより、温調空気のバイパス流路を通じた供給を止めることで、熱交換部による熱交換によって熱が屋外に捨てられてしまうことを回避することが可能になる。
【００２５】
第６発明に係る空調換気装置は、第２発明の空調換気装置であって、排気ダンパと、排気温度検知部と、合流温度検知部と、排気ダンパ閉鎖制御部とをさらに備えている。排気ダンパは、排気流路に設けられ、通過面積を可変である。排気温度検知部は、排気流路のうち対象空間から熱交換部に至るまでの間の温度を検知する。合流温度検知部は、給気流路のうちバイパス流路との合流部分から熱交換部に至るまでの間の温度を検知する。排気ダンパ閉鎖制御部は、排気温度検知部が検知する温度と合流温度検知部が検知する温度との差が所定値未満である場合には、排気ダンパを閉じる。
【００２６】
ここでは、排気ダンパ閉鎖制御部は、排気温度検知部によって排気流路のうち対象空間から熱交換部に至るまでの間の温度を、合流温度検知部によって給気流路のうちバイパス流路との合流部分から熱交換部に至るまでの間の温度を、それぞれ知ることができる。そして、両温度の差異が所定値未満である場合には、排気ダンパを閉じる制御を行うことで、排気流体が熱交換部に至らないため、給気流路においてバイパス流路から合流した空気は、熱交換部において熱交換されることなく、室内に供給されるようにすることができる。このため、例えば、排気流路を通過する流体の温度が、給気流路を通過する合流流体の温度よりも低い場合等は、排気ダンパを閉じて熱交換部における両者の熱交換を止めさせることにより、対象空間からの空気の排出に伴って廃熱されてしまうという事態を回避できる。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、排気ダンパを開けて、バイパス流路を通じた温調空気と給気流路を通じた屋外空気との合流空気と、対象空間からの排気流路を通じる空気とを熱交換させてしまうと、対象空間に供給されようとする空気から、屋外に排出されようとする空気が熱を奪って、廃熱されてしまうことになる。ここでは、排気ダンパ閉鎖制御部が、排気ダンパを閉鎖制御することで、このような事態が生じることを防いでいる。
【００２７】
これにより、対象空間からの排気流路を通じた排気を止めることで、熱交換部による熱交換によって熱が屋外に捨てられてしまうことを回避することが可能になる。
【００２８】
第７発明に係る空調換気装置は、第６発明の空調換気装置であって、排気ダンパは、排気流路において、対象空間と熱交換部との間の空間に設けられている。
【００２９】
ここでは、排気流路において対象空間から熱交換部の間に設けられた排気ダンパを閉じることにより、対象空間からの排気が熱交換部にまで至らないようにすることができる。
【００３０】
これにより、熱交換部による熱交換によって熱が屋外に捨てられることをより効果的に回避することが可能になる。
【００３１】
第８発明に係る空調換気装置は、第２発明の空調換気装置であって、分岐排気流路と、分岐排気ダンパと、排気温度検知部と、合流温度検知部と、分岐排気ダンパ閉鎖制御部とをさらに備えている。分岐排気流路は、熱交換部の上流側と下流側とを、熱交換部を通過しないように接続する。分岐排気ダンパは、分岐排気流路に設けられ、通過面積を可変である。排気温度検知部は、排気流路のうち対象空間から熱交換部に至るまでの間の温度を検知する。合流温度検知部は、給気流路のうちバイパス流路との合流部分から熱交換部に至るまでの間の温度を検知する。分岐排気ダンパ開制御部は、排気温度検知部が検知する温度と合流温度検知部が検知する温度との差が所定値未満である場合には、分岐排気ダンパを開く。
【００３２】
ここでは、分岐排気ダンパ閉鎖制御部は、排気温度検知部によって排気流路のうち対象空間から熱交換部に至るまでの間の温度を、合流温度検知部によって給気流路のうちバイパス流路との合流部分から熱交換部に至るまでの間の温度を、それぞれ知ることができる。そして、両温度の差異が所定値未満である場合には、分岐排気ダンパを開く制御を行うことで、排気流体が熱交換部に至ることなく排気することができるため、給気流路においてバイパス流路から合流した空気は、熱交換部において熱交換されることなく、室内に供給されるようにすることができる。このため、例えば、排気流路を通過する流体の温度が、給気流路を通過する合流流体の温度よりも低い場合等は、分岐排気ダンパを開いて熱交換部における両者の熱交換を止めさせることにより、対象空間からの空気の排出に伴って廃熱されてしまうという事態を回避できる。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、分岐排気ダンパを閉じて、バイパス流路を通じた温調空気と給気流路を通じた屋外空気との合流空気と、対象空間からの排気流路を通じる空気とを熱交換させてしまうと、対象空間に供給されようとする空気から、屋外に排出されようとする空気が熱を奪って、廃熱されてしまうことになる。ここでは、分岐排気ダンパ閉鎖制御部が、分岐排気ダンパを開く制御することで、このような事態が生じることを防いでいる。
【００３３】
これにより、対象空間からの排気を熱交換部を通過させることなく排気することで換気を可能にしつつ、熱交換部による熱交換によって熱が屋外に捨てられてしまうことを回避することが可能になる。
【００３４】
第９発明に係る空調換気装置は、第８発明の空調換気装置であって、分岐排気ダンパは、排気流路と熱交換部とが接続される状態と、排気流路と分岐排気流路とが接続される状態と、を切り換える。
【００３５】
ここでは、分岐排気ダンパを切り換えることにより、排気流路と熱交換部とが接続される状態と、排気流路と分岐排気流路とが接続される状態とを切り換えることができ、排気流路と分岐排気流路とが接続される状態に切り換えることにより、対象空間からの排気が熱交換部にまで至らないようにすることができる。
【００３６】
これにより、熱交換部による熱交換によって熱が屋外に捨てられることをより効果的に回避することが可能になる。
【００３７】
第１０発明に係る空調換気装置は、第１発明または第２発明の空調換気装置であって、給気流路に対してバイパス流路側が正圧となるように風量制御を行う正圧制御部をさらに備えている。
【００３８】
ここでは、正圧制御部は、給気流路に対してバイパス流路側が正圧になるように、すなわち、給気流路からバイパス流路に向かう空気流れを防止するように、風量制御を行う。ここで制御する対象としては、例えば、給気ファンおよび／または空調ファンが含まれる。具体的には、例えば、バイパス流路から給気流路に対して流れる空気流れ（微風）を作り出すために、給気ファンの回転数を上げて給気流路からバイパス流路に向かう空気流れを防止したり、空調ファンの回転数を上げて給気流路からバイパス流路に向かう空気流れを防止する。
【００３９】
これにより、バイパス流路内を換気ユニットから空調ユニット側へ冷気が流れてしまう事態を回避することが可能になる。
【００４０】
第１１発明に係る空調換気装置は、第２発明の空調換気装置であって、対象温度検知部と、屋外温度検知部と、風量低減制御部とをさらに備えている。対象温度検知部は、対象空間の温度を検知する。屋外温度検知部は、屋外の温度を検知する。風量低減制御部は、対象温度検知部が検知する温度と、屋外温度検知部が検知する温度との差が、所定値未満である場合に、給気流路に対してバイパス流路が正圧となるようにしつつ供給風量を下げる制御を行う。
【００４１】
ここでは、正圧制御部は、対象空間の温度と屋外の温度とを知ることができる。そして、両温度の差異が所定値未満である場合には、給気流路に対してバイパス流路が正圧となるようにする制御を行うことで、対象空間からの空気の排出に伴って廃熱されてしまうという事態を回避している。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、バイパス流路を通じた温調空気と給気流路を通じた屋外空気とを合流させ、対象空間からの排気流路を通じる空気と熱交換させると、対象空間に供給されようとする空気から、屋外に排出されようとする空気が熱を奪って、廃熱されてしまうことになる。ここでは、風量低減制御部が、給気流路に対してバイパス流路が正圧となるようにしつつ供給風量を下げる制御を行うことで、廃熱を促進するような事態を防ぎつつ給気流路からバイパス流路に向かう空気流れを防止する。
【００４２】
これにより、熱交換器による熱交換によって熱が屋外に捨てられてしまうことを回避しつつ、バイパス流路内を換気ユニットから空調ユニット側へ冷気が流れてしまう事態を回避することが可能になる。
【００４３】
第１２発明に係る空調換気装置は、第２発明の空調換気装置であって、排気温度検知部と、合流温度検知部と、風量調節制御部とをさらに備えている。排気温度検知部は、排気流路のうち対象空間から熱交換部に至るまでの間の温度を検知する。合流温度検知部は、給気流路のうちバイパス流路との合流部分から熱交換部に至るまでの間の温度を検知する。風量調節制御部は、排気温度検知部が検知する温度と、合流温度検知部が検知する温度との差が、所定値未満である場合に、給気流路に対してバイパス流路が正圧となるようにしつつ供給風量を下げる制御を行う。
【００４４】
ここでは、風量調節制御部は、排気温度検知部によって排気流路のうち対象空間から熱交換部に至るまでの間の温度を、合流温度検知部によって給気流路のうちバイパス流路との合流部分から熱交換部に至るまでの間の温度を、それぞれ知ることができる。そして、両温度の差異が所定値未満である場合には、給気流路に対してバイパス流路が正圧となるようにする制御を行うことで、対象空間からの空気の排出に伴って廃熱されてしまうという事態を回避している。すなわち、両温度の差異が所定値未満である場合には、バイパス流路を通じた温調空気と給気流路と通じた屋外の空気との合流空気は、対象空間から排気流路を通じて排気されようとする空気よりも温度が高くなっていることがある。このような場合にまで、バイパス流路を通じた温調空気と給気流路を通じた屋外空気とを合流させ、対象空間からの排気流路を通じる空気と熱交換させると、対象空間に供給されようとする空気から、屋外に排出されようとする空気が熱を奪って、廃熱されてしまうことになる。ここでは、風量調節制御部が、給気流路に対してバイパス流路が正圧となるようにしつつ供給風量を下げる制御を行うことで、廃熱を促進するような事態を防ぎつつ給気流路からバイパス流路に向かう空気流れを防止する。
【００４５】
これにより、熱交換器による熱交換によって熱が屋外に捨てられてしまうことを回避しつつ、バイパス流路内を換気ユニットから空調ユニット側へ冷気が流れてしまう事態を回避することが可能になる。
【００４６】
第１３発明に係る空調換気装置は、第１発明から第１２発明のいずれかの空調換気装置であって、給気検知部と、起動時制御部とをさらに備えている。給気検知部は、給気ファンの起動を検知する。起動時制御部は、給気検知部が給気ファンの起動を検知した場合に、バイパス流路から給気流路に流れる空気量を増大させる。
【００４７】
ここでは、給気検知部が設けられていることから、給気ファンの稼働状態を把握することができる。そして、起動時制御部は、給気ファンの起動を検知した場合に、バイパス流路から給気流路に流れる空気量を増大させる制御を行う。このため、給気ファンの起動時には、より多くの温調空気がバイパス流路を通じて給気流路に供給されることになる。
【００４８】
これにより、起動時において対象空間が充分に暖まっていない段階であっても、より多くの温調空気が給気流路に供給されることで、起動時に屋外の冷気が室内に取り込まれることによる室内の局所的な不快化を低減させることが可能になる。
【００４９】
第１４発明に係る空調換気装置は、第１発明から第１２発明のいずれかの空調換気装置であって、給気検知部と、運転時正圧制御部とをさらに備えている。給気制御部は、給気ファンの運転状態を検知する。運転時正圧制御部は、給気検知部が給気ファンの運転を検知した場合に、給気ファンの風量が排気ファンの風量よりも多い状態に制御する。
【００５０】
ここでは、運転時正圧制御部が設けられていることから、給気ファンの稼働状態を把握することができる。そして、運転時正圧制御部は、給気ファンの起動を検知した場合に、給気ファンの風量が排気ファンの風量よりも多い状態にする制御を行う。このため、対象空間は対象空間の回りの空間に対して正圧の状態に維持されることになる。
【００５１】
これにより、対象空間を正圧を維持することで、対象空間の回りの空間から対象空間に対する雑排気の流入を低減させることが可能になる。
【００５２】
第１５発明に係る空調換気装置は、第１発明から第１４発明のいずれかの空調換気装置であって、空調ユニット側から換気ユニット側に向けてバイパス流路を通過する供給空気の風量を制御する風量制御部をさらに備えている。
【００５３】
ここでは、風量制御部が、空調ユニット側から換気ユニット側に向けてバイパス流路を通過する供給空気の風量を制御して、空調ユニットの温度調節部によって温調された温調空気の送風量を制御することで、温調空気と屋外空気とが給気流路において合流された際の温度を調節することができる。
【００５４】
これにより、換気ユニットから室内に対して供給される空気の温度を調節することが可能になる。
【００５５】
第１６発明に係る空調換気装置は、第１５発明の空調換気装置であって、屋外の温度を検知する外気温検知部と、屋外の湿度を検知する屋外湿度検知部と、の少なくともいずれか１つを有する屋外センサ部をさらに備えている。そして、風量制御部は、屋外センサ部が検知する値に応じて、供給空気の風量を制御する。
【００５６】
ここでは、屋外センサ部をさらに備えており、風量制御部が、屋外センサ部によって検知される値に応じた風量制御を行う。
【００５７】
これにより、屋外の気温や湿度などの変化による室内への影響を低減させることが可能になる。
【００５８】
第１７発明に係る空調換気装置は、第１６発明の空調換気装置であって、室内温度を検知する室内温度検知部と、室内の湿度を検知する室内湿度検知部と、の少なくともいずれか１つを有する室内センサ部をさらに備えている。そして、風量制御部は、屋外センサ部が検知する値と、室内センサ部が検知する値との関係に応じて供給空気の風量を制御する。
【００５９】
ここでは、屋外センサ部だけでなく、さらに屋内センサ部を備えている。そして、風量制御部は、屋外センサ部が検知する値と、室内センサ部が検知する値との関係に応じて供給空気の風量を制御する。
【００６０】
これにより、屋外の気温や湿度の変化による室内への影響の度合いを低減させることが可能になる。
【００６１】
第１８発明に係る空調換気装置は、第１５発明の空調換気装置であって、給気口センサ部をさらに備えている。この給気口センサ部は、給気流路のうち屋外からバイパス流路との合流部分に至るまでの間の温度を検知する給気口温度検知部と、屋外からバイパス流路との合流部分に至るまでの間の湿度を検知する給気口湿度検知部と、の少なくともいずれか１つを有している。そして、風量制御部は、給気口センサ部が検知する値に応じて、供給空気の風量を制御する。
【００６２】
ここでは、給気口センサ部をさらに備えている。そして、風量制御部は、給気口温度検知部もしくは給気口湿度検知部が検知する値に応じて供給空気の風量を制御する。このため、給気流路に吸い込まれた屋外空気の温度や湿度の変化による室内への影響の度合いを低減させることが可能になる。
【００６３】
これにより、実際に室内に供給されようとする屋外空気の気温もしくは湿度の変化に応じた、室内への影響の度合いをより低減させた制御を行うことが可能になる。
【００６４】
第１９発明に係る空調換気装置は、第１８発明の空調換気装置であって、屋外の温度を検知する屋外温度検知部と、屋外の湿度を検知する給気流路湿度検知部と、の少なくともいずれか１つを有する屋外センサ部をさらに備えている。そして、風量制御部は、給気口センサ部が検知する値と、屋外センサ部が検知する値と、の関係に応じて供給空気の風量を制御する。
【００６５】
ここでは、給気流路センサ部だけでなく、さらに屋外センサ部を備えている。そして、風量制御部は、給気口センサ部が検知する値だけでなく、屋外センサ部が検知する値と、の関係に応じて供給空気の風量を制御する。
【００６６】
これにより、屋外の気温や湿度の変化による室内への影響の度合いをより詳細に低減させることが可能になる。
【００６７】
第２０発明に係る空調換気装置は、第１５発明の空調換気装置であって、合流センサ部をさらに備えている。合流センサ部は、給気流路のうちバイパス流路との合流部分から熱交換部に至るまでの間の温度を検知する合流温度検知部と、バイパス流路との合流部分から熱交換部に至るまでの間の湿度を検知する合流湿度検知部と、の少なくともいずれか１つを有している。そして、風量制御部は、合流センサ部が検知する値に応じて、供給空気の風量を制御する。
【００６８】
ここでは、合流センサ部をさらに備えている。そして、風量制御部は、合流温度検知部もしくは合流湿度検知部が検知する値に応じて供給空気の風量を制御する。このため、室内への影響の度合いを低減させるように、風量制御部が、バイパス流路を介して給気流路に合流させる供給空気の風量を調節することが可能になる。
【００６９】
これにより、実際に室内に供給されようとする屋外空気の気温もしくは湿度の変化に応じた、室内への影響の度合いをより低減させた制御を行うことが可能になる。
【００７０】
第２１発明の空調換気装置は、第２０発明の空調換気装置であって、給気口センサ部をさらに備えている。この給気口センサ部は、給気流路のうち屋外からバイパス流路との合流部分に至るまでの間の温度を検知する給気口温度検知部と、屋外からバイパス流路との合流部分に至るまでの間の湿度を検知する給気口湿度検知部と、の少なくともいずれか１つを有している。そして、風量制御部は、合流センサ部が検知する値と、給気口センサ部が検知する値と、の関係に応じて供給空気の風量を制御する。
【００７１】
ここでは、給気口センサ部をさらに備えている。そして、風量制御部は、給気口温度検知部もしくは給気口湿度検知部が検知する値に応じて供給空気の風量を制御する。このため、室内への影響の度合いを低減させるように、風量制御部が、バイパス流路を介して給気流路に合流させる供給空気の風量を調節することが可能になる。
【００７２】
これにより、実際に室内に供給されようとする屋外空気の気温もしくは湿度の変化に応じた、室内への影響の度合いをより低減させた制御を行うことが可能になる。
【００７３】
第２２発明に係る空調換気装置は、第２発明の空調換気装置であって、給気口センサ部と、吹出流路センサ部と、合流算出部とをさらに備えている。給気ファンは、風量調整する給気ファンモータを有している。給気口センサ部は、給気流路のうち屋外からバイパス流路との合流部分に至るまでの間の温度を検知する給気口温度検知部と、屋外からバイパス流路との合流部分に至るまでの間の湿度を検知する給気口湿度検知部と、の少なくともいずれか１つを有している。吹出流路センサ部は、吹出流路を通過する温度を検知する吹出流路温度検知部と、吹出流路を通過する湿度を検知する吹出流路湿度検知部と、の少なくともいずれか１つを有している。合流算出部は、給気流路とバイパス流路との合流地点を通過する空気の温度もしくは湿度のいずれか一方を、給気口センサ部、吹出流路センサ部および給気ファンモータの回転数に基づいて算出する。
【００７４】
ここでは、合流算出部が、合流地点を通過する空気の温度もしくは湿度のいずれか一方を、給気口センサ部、吹出流路センサ部および給気ファンモータの回転数の各値を用いて算出することができる。
【００７５】
これにより、合流空気が通過する位置にセンサを設ける必要を無くすることが可能になる。
【００７６】
第２３発明に係る空調換気装置は、第２発明の空調換気装置であって、設定受付部と、室内吹出センサ部と、吹出制御部とを備えている。バイパス流路は、通過面積を可変なバイパスダンパと、バイパスファンモータによって通過風量を可変なバイパスファンと、を有している。給気ファンは、給気流路の通過風量を可変な給気ファンモータを有している。設定受付部は、対象空間における設定温度または設定湿度の少なくともいずれか一方の入力を受付ける。室内吹出センサ部は、給気流路のうち熱交換部と対象空間との間の吹出空間を通過する空気の温度を検知する室内吹出温度検知部と、吹出空間を通過する空気の湿度を検知する室内吹出湿度検知部と、の少なくともいずれか１つを有している。吹出制御部は、室内吹出センサ部が検知する値が、室内温湿度センサによって検知される値に近づくように、バイパスダンパの開度、バイパスファンモータの回転数、給気ファンモータの回転数のうちの少なくともいずれか１つを調整する。
【００７７】
ここでは、吹出制御部が、室内吹出センサ部が検知する値が、設定受付部において受付けた設定値に近づくように、構成機器を調節する。このため、給気流路から対象空間に対して吹き出す空気と、吹出流路から対象空間に吹き出す空気との質を近付けることができる。
【００７８】
これにより、屋外の新鮮空気を取込つつ、対象空間のユーザの不快感を効果的に抑制することが可能になる。
【発明の効果】
【００７９】
第１発明の空調換気装置では、寒冷地においても換気による新鮮空気の供給を確保しつつ、冷えた給気による換気ユニットの凍結を抑えることが可能になる。
【００８０】
第２発明の空調換気装置では、対象空間における空気からの熱回収を行いつつ、熱交換器の凍結を抑えることが可能になる。
【００８１】
第３発明の空調換気装置では、温調空気の給気流路への供給量を調節することが可能になる。
【００８２】
第４発明の空調換気装置では、温調空気のバイパス流路を通じた供給を止めることで、熱交換部による熱交換によって熱が屋外に捨てられてしまうことを回避することが可能になる。
【００８３】
第５発明の空調換気装置では、温調空気のバイパス流路を通じた供給を止めることで、熱交換部による熱交換によって熱が屋外に捨てられてしまうことを回避することが可能になる。
【００８４】
第６発明の空調換気装置では、対象空間からの排気流路を通じた排気を止めることで、熱交換部による熱交換によって熱が屋外に捨てられてしまうことを回避することが可能になる。
【００８５】
第７発明の空調換気装置では、熱交換部による熱交換によって熱が屋外に捨てられることをより効果的に回避することが可能になる。
【００８６】
第８発明の空調換気装置では、対象空間からの排気を熱交換部を通過させることなく排気することで換気を可能にしつつ、熱交換部による熱交換によって熱が屋外に捨てられてしまうことを回避することが可能になる。
【００８７】
第９発明の空調換気装置では、熱交換部による熱交換によって熱が屋外に捨てられることをより効果的に回避することが可能になる。
【００８８】
第１０発明の空調換気装置では、バイパス流路内を換気ユニットから空調ユニット側へ冷気が流れてしまう事態を回避することが可能になる。
【００８９】
第１１発明の空調換気装置では、熱交換器による熱交換によって熱が屋外に捨てられてしまうことを回避しつつ、バイパス流路内を換気ユニットから空調ユニット側へ冷気が流れてしまう事態を回避することが可能になる。
【００９０】
第１２発明の空調換気装置では、熱交換器による熱交換によって熱が屋外に捨てられてしまうことを回避しつつ、バイパス流路内を換気ユニットから空調ユニット側へ冷気が流れてしまう事態を回避することが可能になる。
【００９１】
第１３発明の空調換気装置では、起動時において対象空間が充分に暖まっていない段階であっても、より多くの温調空気が給気流路に供給されることで、起動時に屋外の冷気が室内に取り込まれることによる室内の局所的な不快化を低減させることが可能になる。
【００９２】
第１４発明の空調換気装置では、対象空間を正圧を維持することで、対象空間の回りの空間から対象空間に対する雑排気の流入を低減させることが可能になる。
【００９３】
第１５発明の空調換気装置では、換気ユニットから室内に対して供給される空気の温度を調節することが可能になる。
【００９４】
第１６発明の空調換気装置では、屋外の気温や湿度などの変化による室内への影響を低減させることが可能になる。
【００９５】
第１７発明の空調換気装置では、屋外の気温や湿度の変化による室内への影響の度合いを低減させることが可能になる。
【００９６】
第１８発明の空調換気装置では、実際に室内に供給されようとする屋外空気の気温もしくは湿度の変化に応じた、室内への影響の度合いをより低減させた制御を行うことが可能になる。
【００９７】
第１９発明の空調換気装置では、屋外の気温や湿度の変化による室内への影響の度合いをより詳細に低減させることが可能になる。
【００９８】
第２０発明の空調換気装置では、実際に室内に供給されようとする屋外空気の気温もしくは湿度の変化に応じた、室内への影響の度合いをより低減させた制御を行うことが可能になる。
【００９９】
第２１発明の空調換気装置では、実際に室内に供給されようとする屋外空気の気温もしくは湿度の変化に応じた、室内への影響の度合いをより低減させた制御を行うことが可能になる。
【０１００】
第２２発明の空調換気装置では、合流空気が通過する位置にセンサを設ける必要を無くすることが可能になる。
【０１０１】
第２３発明の空調換気装置では、屋外の新鮮空気を取込つつ、対象空間のユーザの不快感を効果的に抑制することが可能になる。
【発明を実施するための最良の形態】
【０１０２】
以下、本発明の換気ユニット及び空気調和装置が搭載された空調換気装置１の一実施形態について、図面に基づいて説明する。
【０１０３】
（１）空調換気装置の構成
図１は本発明の一実施形態にかかる空調換気装置１の外観斜視図であり、図２は本発明の第１実施形態にかかる空調換気装置の概略構成図である。空調換気装置１は、建物Ｈの室内の天井に配置されており、室内の換気を行いつつ空調運転を行うためのシステムである。空調換気装置１は、換気ユニット５と、空調ユニット６と、これらを接続するバイパスダクト４と、各種センサ類と、制御装置７０、リモコン９７とを備えている。
【０１０４】
＜換気ユニット＞
換気ユニット５は、図１および図２に示すように、給気ダクト２と、排気ダクト３と、全熱交換器５０と、を備えている。
【０１０５】
給気ダクト２は、室外ＳＯから室内ＳＩに空気を供給するために室外と室内とを接続するダクトであり、主として、導入ダクト２１と、室内給気ダクト２２とから構成されている。導入ダクト２１は、一端が室外ＳＯから空気を導入するために建物Ｈの壁面の開口に接続された空気入口２１ａとなっており、他端が全熱交換器５０（後述する）の給気側入口に接続されている。室内給気ダクト２２は、一端が全熱交換器５０の給気側出口に接続されており、他端が室内ＳＩの天井面の開口に接続された空気出口２２ａとなっている。
【０１０６】
排気ダクト３は、室内ＳＩから室外ＳＯに空気を導出するために室内と室外とを接続するダクトであり、室内排気ダクト３４と、導出ダクト３５とから構成されている。室内排気ダクト３４は、一端が室内ＳＩの天井面の開口に接続された空気入口３４ａとなっており、他端が全熱交換器５０の排気側入口に接続されている。導出ダクト３５は、一端が全熱交換器５０の排気側出口に接続されており、他端が室外へ空気を導出するために建物Ｈの壁面の開口に接続された空気出口３５ａとなっている。
【０１０７】
全熱交換器５０は、ケーシング５ａと、給気ファン５２と、排気ファン５３と、熱交換エレメント５０ａとを有している。
【０１０８】
ケーシング５ａは、導入ダクト２１が接続される給気側入口と、室内給気ダクト２２が接続される給気用出口と、室内排気ダクト３４が接続される排気用入口と、導出ダクト３５が接続される排気側出口とが形成されている。給気ファン５２は、熱交換エレメント５０ａの室内給気ダクト２２側に配置され、導入ダクト２１を介して室外ＳＯから空気をケーシング５ａ内に吸入し、室内給気ダクト２２に送出するための機器であり、給気ファンモータ５２ｍによって駆動される。排気ファン５３は、熱交換エレメント５０ａの導出ダクト側に配置され、室内排気ダクト３４を介して室内ＳＩから空気をケーシング５ａ内に吸入し、導出ダクト３５に送出するための機器であり、排気ファンモータ５３ｍによって駆動される。なお、給気ファン５２および排気ファン５３の配置は、これに限られるものではなく、例えば、給気ファン５２を熱交換エレメント５０ａの導入ダクト２１側に配置してもよく、排気ファン５３を熱交換エレメント５０ａの室内排気ダクト３４側に配置してもよい。
【０１０９】
熱交換エレメント５０ａは、給気ファン５２によって給気ダクト２（具体的には、導入ダクト２１）を介して室外ＳＯから吸入される新鮮空気と、排気ファン５３によって排気ダクト３（具体的には、室内排気ダクト３４）を介して室内ＳＩから吸入される空気と、を互いの混ざり合いを防止しつつ熱交換させることができる。そして、室外ＳＯからの冷たい新鮮空気は、熱交換を行うことで暖かい室内ＳＩ空気から熱回収をして緩和され、温度が上昇した状態となって、給気ダクト２（具体的には、室内給気ダクト２２）を介して室内ＳＩに供給される。そして、熱交換された室内ＳＩからの空気は、排気ダクト３（具体的には、導出ダクト３５）を介して室外ＳＯに導出される。これにより、室内ＳＩに対して室外ＳＯ空気の冷気がそのまま取り込まれてしまうことによる不快感を低減して、室内ＳＩの空気の新鮮さを向上させることができる。
【０１１０】
そして、バイパスダクト４を通過する温調空気ＢＳＡは、導入ダクト２１において室外ＳＯと熱交換エレメント５０ａとを結ぶ間に供給されることで、室外ＳＯからの冷気が緩和されるため、熱交換エレメント５０ａ等が室外ＳＯの冷気によって凍結してしまう事態を回避することができる。
【０１１１】
＜空調ユニット＞
空調ユニット６は、室内ユニット６ａと、図示しない室外ユニットと、を備えている。
【０１１２】
室内ユニット６ａ内および室外ユニット内にはそれぞれ熱交換器が収納されており、各熱交換器が冷媒配管（図示せず）により接続されることにより冷媒回路を構成している。この冷媒回路は、主として室内熱交換器１０と、図示しないアキュムレータ、圧縮機、四路切換弁、室外熱交換器、膨張弁等で構成される。この四路切換弁によって接続状態を切り換えることで、冷房運転と暖房運転等を切り換えて運転することができる。
【０１１３】
室内ユニット６ａは、具体的には、吸込ダクト７と、吹出ダクト８と、ケーシング６ａと、室内熱交換器１０と、室内ファンモータ１１ｍによって駆動される室内ファン１１等を備えている。
【０１１４】
吸込ダクト７は、複数（本実施形態では、３つ）の吸込分岐ダクト３１と、吸込分岐ユニット３２と、吸込合流ダクト３３とを有している。３つの吸飲分岐ダクト３１は、それぞれ、一端が室内ＳＩの天井面の開口に接続された空気入口３１ａとなっており、他端が吸込分岐ユニット３２の４つのポートのうち、第２、第３及び第４ポートに接続されている。吸込分岐ユニット３２は、本実施形態において、略直方体形状の中空の箱状体であり、４つのポートを有している。これらの４つのポートのうち、第１ポートには吸込合流ダクト３３が接続されており、他の３つのポート（すなわち、第２、第３及び第４ポート）には上述のように３つの吸込分岐ダクト３１が接続されている。吸込合流ダクト３３は、一端が吸込分岐ユニット３２の第１ポートに接続されており、他端が室内熱交換器１０吸込側に接続されている。
【０１１５】
吹出ダクト８は、複数（本実施形態では、３つ）の吹出分岐ダクト２６と、吹出合流ダクト２４と、吹出分岐ユニット２５とを有している。吹出合流ダクト２４は、一端が吹出分岐ユニット２５の第１ポートに接続されており、他端が室内熱交換器１０吹出側に接続されている。吹出分岐ユニット２５は、本実施形態において、略直方体形状の中空の箱状体であり、４つのポートを有している。これらの４つのポートのうち、第１ポートには上述のように吹出合流ダクト２４が接続されており、他の３つのポート（すなわち、第２、第３及び第４ポート）には３つの吹出分岐ダクト２６が接続されている。３つの給気側分岐ダクト２６は、それぞれ、一端が吹出分岐ユニット２５の第２、第３及び第４ポートのいずれかに接続されており、他端が室内の空気調和が行われる部屋等の天井面の開口に接続された給気口２６ａとなっている。
【０１１６】
ケーシング６ａは、吸込合流ダクト３３が接続される入口と、吹出合流ダクト２４が接続される出口と、が形成されている。
【０１１７】
室内熱交換器１０は、室外ユニット（図示せず）から冷媒が供給されるようになっており、室内ファン１１によってケーシング６ａ内に吸入された空気と冷媒とを熱交換させることによって、空気を冷却又は加熱することができる。
【０１１８】
室内ファン１１は、室内ファンモータ１１ｍによって駆動される。室内ファン１１が駆動することで、室内ＳＩの空気が、吸入分岐ダクト３１を通じて吸込合流ダクト３３を介してケーシング６ａに形成された入口からケーシング６ａ内に吸入し、室内熱交換器１０を通じて熱交換されることで温度調節され、ケーシング６ａに形成された出口を介して吹出合流ダクト２４を介して吹出分岐ダクト２６を通じて、再び室内ＳＩへ温調空気を吹き出すことができるようになっている。
【０１１９】
このように、空調ユニット６は、本実施形態において、換気ユニット５による換気の対象となっている部屋の空調を行うことができる。
【０１２０】
＜バイパスダクト＞
バイパスダクト４は、図１または図２に示すように、空調ユニット６における吹出ダクト８の吹出合流ダクト２４と、換気ユニット５における給気ダクト２の導入ダクト２１と、を互いイン接続するためのダクトである。
【０１２１】
バイパスダクト４は、一端が吹出合流ダクト２４から分岐するように伸びており、他端が導入ダクト２１に合流するように接続されている。
【０１２２】
また、バイパスダクト４は、吹出合流ダクト２４からの分岐部分と、導入ダクト２１への合流部分との間に、流量を調節することが可能なバイパスダクト４１を備えている。バイパスダクト４１は、開閉することによって、バイパスダクト４を吹出合流ダクト２４から導入ダクト２１に向けて流れる温調空気ＢＳＡの流量を調節することができる。
【０１２３】
＜各種センサ＞
室内ＳＩには、図２に示すように、室内の温度および湿度を検知する室内温湿度センサＴＨ１が設けられている。また、室外ＳＯには、室外の温度および湿度を検知する室外温湿度センサＴＨ２が設けられている。さらに、空調ユニット６には、室内熱交換器１０を通過した空気の温度および湿度を検知する温調空気温湿度センサＴＨ３が設けられている。また、室内排気ダクト３４には、室内排気ダクト３４を通過する空気の温度および湿度を検知する排気温湿度センサＴＨ４が設けられている。そして、導入ダクト２１のうち、バイパスダクト４との合流部分よりも室外ＳＯ側を通過する空気の温度および湿度を検知する外気取込温湿度センサＴＨ５が設けられている。また、導入ダクト２１のうち、バイパスダクト４との合流部分よりも熱交換エレメント５０ａ側を通過する空気の温度および湿度を検知する合流空気温湿度センサＴＨ６が設けられている。室内給気ダクト２２には、室内給気ダクト２２を通過する空気の温度および湿度を検知する室内吹出温湿度センサＴＨ７が設けられている。
【０１２４】
＜制御装置＞
制御装置７０は、図示しないＣＰＵ、ＲＯＭ、ＲＡＭ等によって構成されており、図３の制御ブロック図に示すように、室内ファンモータ１１ｍ、給気ファンモータ５２ｍ、排気ファンモータ５３ｍ、バイパスダンパ４１、リモコン９７、室内温湿度センサＴＨ１、室外温湿度センサＴＨ２、温調空気温湿度センサＴＨ３、排気温湿度センサＴＨ４、外気取込温湿度センサＴＨ５、合流空気温湿度センサＴＨ６、室内吹出温湿度センサＴＨ７とそれぞれ通信線を介して接続されている。
【０１２５】
制御装置７０は、リモコン９７からの信号に基づいて、各種センサ（室内温湿度センサＴＨ１、室外温湿度センサＴＨ２、温調空気温湿度センサＴＨ３、排気温湿度センサＴＨ４、外気取込温湿度センサＴＨ５、合流空気温湿度センサＴＨ６、室内吹出温湿度センサＴＨ７）において検知された値を収集し、室内ファンモータ１１ｍ、給気ファンモータ５２ｍ、排気ファンモータ５３ｍの回転数をそれぞれ制御する。
【０１２６】
ここで、制御装置７０は、室内ファンモータ１１ｍおよび給気ファンモータ５２ｍの回転数をそれぞれ制御することで、バイパスダクト４を通過する温調空気ＢＳＡの風量を調節する。
【０１２７】
リモコン９７は、換気ユニット５および空調ユニット６の運転指示等を行うことができ、上述したように、制御装置７０に対して接続されている。
【０１２８】
＜制御装置による各種制御＞
制御装置７０は、起動時制御、運転時正圧維持制御、給気温調制御、廃熱防止制御等の各種制御を行う。以下、各制御について、それぞれ説明する。
【０１２９】
（起動時制御）
制御装置７０は、上述のように、通信線を介して給気ファンモータ５２ｍと接続されており、給気ファンモータ５２ｍの起動状態を把握することができる。そして、制御装置７０は、給気ファンモータ５２ｍの駆動を開始させる際に、バイパスダクト４から導入ダクト２１に流れる温調空気ＢＳＡの風量を増大させるように、給気ファンモータ５２ｍおよび室内ファンモータ１１ｍの回転数を制御する起動時制御を行う。なお、対応可能であれば、給気ファンモータ５２ｍもしくは室内ファンモータ１１ｍのいずれかの回転数を制御するだけであってもよい。
【０１３０】
このように給気ファンモータ５２ｍの駆動開始時に起動時制御を行うため、給気ファンモータ５２ｍの起動時には、より多くの温調空気ＢＳＡがバイパスダクト４を通じて導入ダクト２１に供給されることになる。このため、換気ユニット５の起動時において、空調ユニット６の稼働により室内ＳＩが充分に暖まっていない状態であっても、より多くの温調空気ＢＳＡが導入ダクト２１に供給されることになる。これにより、起動時に屋外ＳＯの冷気が室内ＳＩに取り込まれることによる、室内ＳＩの室内給気ダクト２２の天井開口部近傍の局所的な不快化を低減させることができる。
【０１３１】
例えば、室内温湿度センサＴＨ１によって検知される室内ＲＡの温度が１５℃であり、空調ユニット６によって生成される吹出ダクト８の温調空気ＢＳＡの温度が２５℃であり、室外温湿度センサＴＨ２によって検知される温度が−２０℃である場合を考える。このような場合では、室内ＳＩから室内排気ダクト３４から排気される空気（ＥＲＡ）の温度は室内温度センサＴＨ１によって検知される温度とほぼ同一であり、１５℃である。そして、空調ユニット６に吸込ダクト７を通じて吸い込まれる空気（ＲＡ）の温度も室内温度センサＴＨ１によって検知される温度とほぼ同一であり、室内ＳＩに吹出ダクト８から吹き出される空気（ＳＡ）の温度は、温調空気ＢＳＡの温度である２５℃である。さらに、バイパスダクト４を通過する温調空気ＢＳＡの温度も２５℃である。以上のような状態では、導入ダクト２１において屋外ＳＯから取り込まれた−２０℃の空気と、バイパスダクト４を通じて供給される２５℃の温調空気ＢＳＡとが混ざり合い、混ざり合った合流空気の温度はバイパスダクト４の風量および給気ファンモータ５２ｍの回転数に応じた温度となる。ここで、例えば、合流空気の温度が５℃に調節された場合には、熱交換エレメント５０ａを導入ダクト２１側から通過する空気の温度が、５℃になる。このため、５℃の合流空気と、室内ＳＩからの室内排気ダクト３４を通じて熱交換エレメント５０ａを通過する１５℃の空気と、が熱交換し、合流空気は室内ＳＩからの空気から熱回収することになる。これにより、室内給気ダクト２２を通じて室内ＳＩに吹き出される空気は８℃に暖められる。一方で、導出ダクト３５を通じて屋外に導出される空気は、熱回収されることで１１℃になる。以上のようにして、起動時に熱交換エレメント５０ａが凍結してしまうことを回避し、室内ＳＩに供給される空気の温度を調節している。
【０１３２】
（運転時正圧維持制御）
制御装置７０は、給気ファンモータ５２ｍの稼働状態を把握することができる。そして、制御装置７０は、給気ファンモータ５２ｍの稼働を検知した場合に、給気ファンモータ５２ｍの回転数（給気ファン５２の風量）が排気ファンモータ５３ｍの回転数（排気ファンの風量）よりも多い状態にする運転時正圧維持制御を行う。
【０１３３】
このため、室内ＳＩの空間は、室内ＳＩの周囲の空間に対して正圧となる状態で維持されることになる。これにより、対象空間を正圧を維持することで、対象空間の回りの空間から対象空間に対する雑排気の流入を低減させることが可能になる。
【０１３４】
（給気温調制御）
制御装置７０が、給気ファンモータ５２ｍおよび室内ファンモータ１１ｍの回転数を調節して、空調ユニット６側から換気ユニット５側に向けてバイパスダクト４を通過する供給空気の風量を制御して、空調ユニット６の室内熱交換器１０によって温調された温調空気ＢＳＡの送風量を制御する給気温調制御を行う。
【０１３５】
このため、温調空気ＢＳＡと屋外空気とが給気ダクト２の導入ダクト２１において合流された合流空気の温度を調節することができる。これにより、換気ユニット５から室内ＳＩに対して供給される空気の温度を調節することができる。
【０１３６】
リモコン９７から設定温湿度が入力されていた場合には、制御装置７０は、各種センサＴＨ１〜ＴＨ７が検知する値に基づいて、室内ＳＩが設定温湿度に近づくように、室内ファンモータ１１ｍの回転数および給気ファンモータ５２の回転数を調節して給気温調制御を行う。
【０１３７】
また、制御装置７０は、給気ダクト３の導入ダクト２１の入口近傍に配置された外気取込温湿度センサＴＨ５と、合流空気温湿度センサＴＨ６と、室内吹出温湿度センサＴＨ７と、屋外温湿度センサＴＨ２と、によって検知される値に応じて、屋外ＳＯの気温や湿度等の変化による室内ＳＩへの影響の度合いを低減させる方向に、給気ファンモータ５２ｍおよび室内ファンモータ１１ｍの回転数を制御する。
【０１３８】
（廃熱防止制御）
制御装置７０は、室内温湿度センサＴＨ１が検知する室内温度と、室内温湿度センサＴＨ１が検知する温度との差が、所定値未満である場合、具体的には、合流空気温湿度センサＴＨ６が検知する合流空気温度のほうが、室内温湿度センサＴＨ１が検知する室内温度よりも高い場合には、バイパスダンパ４１を閉じる廃熱防止制御を行う。
【０１３９】
この廃熱防止制御を行うことによって、室内ＳＩからの空気の排出に伴って廃熱されるという事態を回避することができる。すなわち、室内温度と室外温度との差異が所定値未満である場合には、バイパスダクト４を通じた温調空気ＢＳＡと導入ダクト２１と通じた室外ＳＯの空気との合流空気は、室内ＳＩから排気ダクト３を通じて排気されようとする室内空気よりも温度が高くなっていることがある。このような場合にまで、バイパスダンパ４１を開けて、バイパスダクト４を通じた温調空気ＢＳＡと導入ダクト２１を通じた室外空気とを合流させ、室内ＳＩからの排気ダクト３を通じる空気と熱交換させると、室内ＳＩに供給されようとする空気から、室外ＳＯに排出されようとする空気が熱を奪って、廃熱されてしまうことになる。
【０１４０】
これに対して、廃熱防止制御でバイパスダンパ４１を閉じる制御を行うことで、このような事態が生じることを防ぐことができる。これにより、温調空気ＢＳＡのバイパスダクト４を通じた供給を止めることで、熱交換エレメント５０ａによる熱交換によって熱が室外ＳＯに捨てられてしまうことを回避することができる。
【０１４１】
＜空調換気装置１の特徴＞
（１）
上記実施形態の空調換気装置１では、屋外ＳＩの空気の温度が非常に低い場合であっても、空調ユニット６によって生成される温調空気ＢＳＡを供給することで、換気ユニット５の凍結を防止することができる。また、給気ファン５２が凍結してしまうことを回避することができる。
【０１４２】
このため、室外ＳＩの空気の温度が非常に低い場合であっても、給気ダクト２においてヒータ等を設けることなく、室内ＳＩに新鮮な空気を給気しつつ、換気ユニット５の凍結による損傷を回避することができる。
【０１４３】
（２）
上記実施形態の空調換気装置１では、温調空気ＢＳＡが室外空気と混ぜられて室内給気ダクト２２を通じて室内ＳＩに給気されるため、室内給気ダクト２２から室内ＳＩに吹き出される冷気による局所的な冷えを解消し、ユーザの感じる不快感を低減させることができる。
【０１４４】
＜変形例＞
以上、本発明の実施形態について図面に基づいて説明したが、具体的な構成は、これらの実施形態に限られるものではなく、以下のように、発明の要旨を逸脱しない範囲で変更可能である。
【０１４５】
（Ａ）
上記実施形態では、空調換気装置１のバイパスダクト４にバイパスダンパ４１が設けられており、これを開閉することによって廃熱防止制御を行う場合を例を挙げて説明した。
【０１４６】
しかし、本発明はこれに限定されるものではなく、上述した廃熱防止制御は、例えば、導入ダクト２１に対してバイパスダクト４側が正圧になるように、すなわち、導入ダクト２１からバイパスダクト４に向かう空気流れを防止するように、制御装置７０が風量制御を行うことにより実現し、図４に示すように、バイパスダンパ４１が設けられていない構成としてもよい。
【０１４７】
ここで制御装置７０が制御する対象としては、例えば、給気ファン５２（給気ファンモータ５２ｍ）および／または室内ファン１１（室内ファンモータ１１ｍ）が含まれる。具体的には、例えば、バイパスダクト４から導入ダクト２１に対して流れる空気流れ（微風）を作り出すために、給気ファンモータ５２ｍの回転数を上げて導入ダクト２１からバイパスダクト４に向かう空気流れを防止したり、室内ファンモータ１１ｍの回転数を上げて導入ダクト２１からバイパスダクト４に向かう空気流れを防止する。
【０１４８】
このような方法による廃熱防止制御であっても、バイパスダクト４内を換気ユニット５から空調ユニット６側へ冷気が流れてしまう自体を回避することができ、室内ＳＩからの廃熱を防止することができる。
【０１４９】
なお、制御装置７０は、室内温湿度センサＴＨ１が検知する温度と、屋外温湿度センサＴＨ２が検知する温度との差が、所定値未満である場合に、導入ダクト２１に対してバイパスダクト４が正圧となるように維持しつつ温調空気ＢＳＡの供給風量を下げる制御を行うようにしてもよい。これにより、熱交換エレメント５０ａによる熱交換によって熱が屋外ＳＯに捨てられてしまうことを回避しつつ、バイパスダクト４内を換気ユニット５から空調ユニット６側へ冷気が流れてしまう事態を回避することができる。
【０１５０】
（Ｂ）
上記実施形態の空調換気装置１における各種制御では、室内温湿度センサＴＨ１や室外温湿度センサＴＨ２等が検知する温度を比較して、温調空気ＢＳＡの供給風量を制御する場合を例に挙げて説明した。
【０１５１】
しかし、本発明はこれに限られるものではなく、例えば、温調空気ＢＳＡの供給量の制御に際しては、制御装置７０は、温度ではなく、湿度を比較することで風量制御を行うようにしてもよい。さらに、制御装置７０は、各センサが検知する温度および湿度を比較することにより、また、温度と湿度とにより定まる不快指数を考慮することにより、風量制御を行うようにしてもよい。
【０１５２】
（Ｃ）
上記実施形態の空調換気装置１では、バイパスダクト４を通過する温調空気の風量は、給気ファンモータ５２ｍの回転数や室内ファンモータ１１ｍの回転数を制御することにより調整する場合を例に挙げて説明した。
【０１５３】
しかし、本発明はこれに限られるものではなく、例えば、図５に示すように、バイパスダクト４の途中において吹出ダクト８から導入ダクト２１側に向けて流れる空気流れを生成するバイパスファン４２およびバイパスファンモータ４２ｍを設けた構成としてもよい。そして、このバイパスファンモータ４２ｍは、制御装置７０に接続され、回転数が制御される。これにより、バイパスダクト４を通じた温調空気ＢＳＡの供給量の調節制御を行う場合に、室内ファンモータ１１ｍおよび給気ファンモータ５２ｍの両方の回転数を制御する必要なく、バイパスファン４２ｍの回転数のみを制御すれば足りることになる。
【０１５４】
（Ｄ）
上記実施形態の空調換気装置１における換気ユニット５としては、熱交換エレメント５０ａが搭載され、強制的に給気を行いつつ強制的に排気を行う第１種換気の構成を例に挙げて説明した。
【０１５５】
しかし、本発明はこれに限られるものではなく、例えば、図６に示すように、上記実施形態の換気ユニット５の替わりに、給気扇２０５を設けた構成としてもよい。そして、上記実施形態のバイパスダクト４は、吹出ダクト８の一部と給気扇２０５の給気ダクト２２１の一部とをバイパスさせるようにしてもよい。
【０１５６】
（Ｅ）
上記実施形態の空調換気装置１では、合流空気温湿度センサＴＨ６によって導入ダクト２１のうち、バイパスダクト４との合流部分よりも熱交換エレメント５０ａ側を通過する空気の温度および湿度を検知する構成を採用した場合について例に挙げて説明した。
【０１５７】
しかし、本発明はこれに限られるものではなく、例えば、図７に示すように、合流空気温湿度センサＴＨ６を有していない構成であって、上記実施形態における合流空気温湿度センサＴＨ６が検知する値を、制御装置７０が、温調空気温湿度センサＴＨ３、外気取込温湿度センサＴＨ５および給気ファン５２の給気ファンモータ５２ｍの回転数により推測値を算出することにより得るようにしてもよい。
【０１５８】
また、変形例（Ｃ）に係る構成では、制御装置７０は、温調空気温湿度センサＴＨ３、外気取込温湿度センサＴＨ５および給気ファン５２の給気ファンモータ５２ｍの回転数およびバイパスファン４２のバイパスファンモータ４２ｍの回転数により推測値を算出することにより得るようにしてもよい。
【０１５９】
（Ｆ）
上記実施形態の空調換気装置１では、室内吹出温湿度センサＴＨ７によって、室内給気ダクト２２を通過する空気の温度および湿度を検知する構成について例に挙げて説明した。
【０１６０】
しかし、本発明はこれに限られるものではなく、例えば、室内吹出温湿度センサＴＨ７によって検知される温度もしくは湿度およびそれらの関係値が、室内温湿度センサＴＨ１によって検知される温度もしくは湿度およびそれらの関係値に近づくように、制御装置７０が、室内吹出空気の空気質を調整する制御を行うようにしてもよい。これにより、屋外新鮮空気を室内に取り込むことによる局所的な冷気等の不快をより低減させることができる。
【０１６１】
具体的には、制御装置７０は、バイパスダンパ４１の開度を調節したり、給気ファン５２の給気ファンモータ５２ｍの回転数を調節したり、変形例（Ｃ）に記載の構成ではさらにバイパスファン４２のバイパスファンモータ４２ｍの回転数を調節したり、これらのうちのいずれかの調節の組み合わせによって、室内吹出空気の空気質を調整する制御を行うことができる。
【０１６２】
（Ｇ）
上記実施形態の空調換気装置１では、廃熱防止制御の一例として、バイパスダンパ４１の開度を調節することにより、給気流路２１において合流した空気の温度を調節する場合について例に挙げて説明した。
【０１６３】
しかし、本発明はこれに限られるものではなく、例えば、廃熱防止制御は、図８に示すような排気ダンパ５５が設けられた構成において、排気ダンパ５５の開度を調節することにより実行するものであってもよい。ここで、排気ダンパ５５は、排気ダクト３において室内ＳＩと熱交換エレメント５０ａとの間に位置するようにして設けられている。そして、制御装置７０は、排気温湿度センサＴＨ４が検知する室内温度と、合流空気温湿度センサＴＨ６が検知する温度との差が、所定値未満である場合、具体的には、合流空気温湿度センサＴＨ６が検知する合流空気温度のほうが、排気温湿度センサＴＨ４が検知する室内温度よりも高い場合には、排気ダンパ５５を閉じる廃熱防止制御を行う。
【０１６４】
この廃熱防止制御を行うことによって、室内ＳＩからの空気の排出に伴って廃熱されるという事態を回避することができる。すなわち、室内温度と室外温度との差異が所定値未満である場合には、バイパスダクト４を通じた温調空気ＢＳＡと導入ダクト２１と通じた室外ＳＯの空気との合流空気は、室内ＳＩから排気ダクト３を通じて排気されようとする室内空気よりも温度が高くなっていることがある。このような場合にまで、排気ダンパ５５を開けて、バイパスダクト４を通じた温調空気ＢＳＡと導入ダクト２１を通じた室外空気との合流空気と、室内ＳＩからの排気ダクト３を通じる空気とを熱交換させてしまうと、室内ＳＩに供給されようとする空気から、室外ＳＯに排出されようとする空気が熱を奪って、廃熱されてしまうことになる。
【０１６５】
これに対して、廃熱防止制御で排気ダンパ５５を閉じる制御を行うことで、このような事態が生じることを防ぐことができる。これにより、排気ダクト３を通じた排気を止めることで、熱交換エレメント５０ａによる熱交換によって熱が室外ＳＯに捨てられてしまうことを回避することができる。
【０１６６】
（Ｈ）
上記実施形態の空調換気装置１では、廃熱防止制御の一例として、バイパスダンパ４１の開度を調節することにより、給気流路２１において合流した空気の温度を調節する場合について例に挙げて説明した。
【０１６７】
しかし、本発明はこれに限られるものではなく、例えば、廃熱防止制御は、図９に示すような分岐排気流路６および分岐排気ダンパ６５が設けられた構成において、分岐排気ダンパ６５の開度を調節することにより実行するものであってもよい。ここで、分岐排気ダンパ６５は、室内排気ダクト３４と分岐排気流路６とが接続されて排気が熱交換エレメント５０ａを通過しない状態と、室内排気ダクト３４と分岐排気流路６とが接続されることなく排気が熱交換エレメント５０ａを通過する状態とを切り換えることができるように、分岐排気流路６の上流側入口に設けられている。そして、制御装置７０は、排気温湿度センサＴＨ４が検知する室内温度と、合流空気温湿度センサＴＨ６が検知する温度との差が、所定値未満である場合、具体的には、合流空気温湿度センサＴＨ６が検知する合流空気温度のほうが、排気温湿度センサＴＨ４が検知する室内温度よりも高い場合には、分岐排気ダンパ６５を開く廃熱防止制御を行う。
【０１６８】
この廃熱防止制御を行うことによって、室内ＳＩからの空気の排出に伴って廃熱されるという事態を回避することができる。すなわち、室内温度と室外温度との差異が所定値未満である場合には、バイパスダクト４を通じた温調空気ＢＳＡと導入ダクト２１と通じた室外ＳＯの空気との合流空気は、室内ＳＩから排気ダクト３を通じて排気されようとする室内空気よりも温度が高くなっていることがある。このような場合にまで、分岐排気ダンパ６５を閉じて、バイパスダクト４を通じた温調空気ＢＳＡと導入ダクト２１を通じた室外空気との合流空気と、室内ＳＩからの排気ダクト３を通じる空気とを熱交換させてしまうと、室内ＳＩに供給されようとする空気から、室外ＳＯに排出されようとする空気が熱を奪って、廃熱されてしまうことになる。
【０１６９】
これに対して、廃熱防止制御で分岐排気ダンパ６５を開く制御を行うことで、このような事態が生じることを防ぐことができる。これにより、分岐排気流路６を介した換気を行いつつ、熱交換エレメント５０ａによる熱交換によって熱が室外ＳＯに捨てられてしまうことを回避することができる。
【産業上の利用可能性】
【０１７０】
本発明を利用すれば、換気による新鮮空気の供給を確保しつつ、冷えた給気による換気ユニットの凍結を抑えることができるため、特に、寒冷地において室内を換気しつつ空調する空調換気装置に適用した場合に有用である。
【図面の簡単な説明】
【０１７１】
【図１】本発明の一実施形態にかかる空調換気装置が採用された建物の概略構成図である。
【図２】空調換気装置の空気の流れを示す説明図である。
【図３】制御装置に関するブロック構成図である。
【図４】変形例（Ａ）に係る空調換気装置を示す図である。
【図５】変形例（Ｃ）に係る空調換気装置を示す図である。
【図６】変形例（Ｄ）に係る空調換気装置を示す図である。
【図７】変形例（Ｅ）に係る空調換気装置を示す図である。
【図８】変形例（Ｇ）に係る空調換気装置を示す図である。
【図９】変形例（Ｈ）に係る空調換気装置を示す図である。
【符号の説明】
【０１７２】
１  空調換気装置
２  給気ダクト（給気流路）
３  排気ダクト（排気流路）
４  バイパスダクト（バイパス流路）
５  換気ユニット（換気装置）
６  空調ユニット（空調装置）
１０  室内熱交換器（温度調節部）
１１  室内ファン（空調ファン）
２１  導入ダクト（給気流路）
２２  室内給気ダクト（給気流路）
２４  合流吹出ダクト（吹出流路）
２６  分岐吹出ダクト（吹出流路）
３１  分岐吸入ダクト（吸込流路）
３３  合流吸入ダクト（吸込流路）
３４  室内排気ダクト（排気流路）
３５  導出ダクト（排気流路）
４１  バイパスダンパ
５０  全熱交換器（熱交換部）
５０ａ  熱交換エレメント
５２  給気ファン
５３  排気ファン
７０  制御装置（開閉制御部、正圧制御部、閉鎖制御部、排気ダンパ開制御部、分岐排気ダンパ制御部、風量低減制御部、給気検知部、風量調節制御部、運転時正圧制御部、風量制御部、合流算出部、吹出制御部）
ＢＳＡ  温調空気（供給空気）
ＳＩ  室内（対象空間）
ＳＯ  室外（屋外）
ＴＨ１  室内温湿度センサ（対象空間検知部、室内温度検知部、室内湿度検知部、室内センサ部）
ＴＨ２  室外温湿度センサ（屋外温度検知部、外気温度検知部、外気湿度検知部、外気センサ部）
ＴＨ３  温調空気温湿度センサ（給気流路温度検知部、給気流路湿度検知部、給気流路センサ部）
ＴＨ４  排気温湿度センサ
ＴＨ５  給気温湿度センサ
ＴＨ６  合流空気温湿度センサ
ＴＨ７  室内吹出温湿度センサ
【図１】
2008209034.tif 000003
【図２】
2008209034.tif 000004
【図３】
2008209034.tif 000005
【図４】
2008209034.tif 000006
【図５】
2008209034.tif 000007
【図６】
2008209034.tif 000008
【図７】
2008209034.tif 000009
【図８】
2008209034.tif 000010
【図９】
2008209034.tif 000011